(57)【要約】【課題】搬送される原稿が、読取部と接触することにより、原稿の斜行が生じることを防ぐ原稿処理装置を提供することを目的とする。【解決手段】  原稿が搬送される搬送面と交差する交差方向に配置され、前記原稿の画像を読み取る読取部と、前記原稿が搬送される搬送方向に前記原稿が搬送されることにより、前記原稿と接することで、所定の方向に移動するアーム部と、前記アーム部が前記所定の方向へ移動することに応じて、前記交差方向に、前記読取部を移動させる移動部と、前記アーム部の移動に伴って、前記移動部を前記交差方向に回動させる回動軸部と、を備えることを特徴とする原稿処理装置。【選択図】        図２
2012080170.tif 000002
【特許請求の範囲】
【請求項１】
原稿が搬送される搬送面と対向して配置され、前記原稿の画像を読み取る読取部と、
前記原稿が搬送される搬送方向に前記原稿が搬送されることにより、前記原稿と接することで、所定の方向に移動するアーム部と、
前記アーム部が前記所定の方向へ移動することに応じて、前記搬送面と交差する交差方向に、前記読取部を移動させる移動部と、
前記アーム部の移動に伴って、前記移動部を前記交差方向に回動させる回動軸部と、
を備えることを特徴とする原稿処理装置。
【請求項２】
原稿を搬送する搬送ローラをさらに備え、
前記アーム部と前記搬送ローラとが近接した位置に配置されることを特徴とする請求項１に記載の原稿処理装置。
【請求項３】
前記回動軸部は、前記アーム部と前記移動部とを連結し、
前記移動部は、前記アーム部が前記搬送方向へ移動することに伴って前記回動軸部を介して、前記交差方向に回動し、前記読取部を移動させることを特徴とする請求項１または２に記載の原稿処理装置。
【請求項４】
前記回動軸部と、前記アーム部と、前記移動部とが、前記原稿の搬送方向へ向かって順に配置され、
前記原稿が接することにより、前記アーム部が移動され、前記回動軸部が回動し、前記移動部が、前記読取部を前記搬送面に対して離間する方向に移動することを特徴とする請求項３に記載の原稿処理装置。
【請求項５】
前記読取部は、前記搬送面と対向して、前記交差方向の少なくともいずれかの方向に配置され、
前記回動軸部は、前記読取部が配置される方向と同じ方向に配置されることを特徴とする請求項１〜４のいずれかに記載の原稿処理装置。
【請求項６】
前記移動部の、前記読取部と接する位置と前記回動軸部との第１長さは、前記アーム部の、前記搬送される原稿と接する位置と前記回動軸部との第２長さより、長いことを特徴とする請求項１〜５のいずれかに記載の原稿処理装置。
【請求項７】
前記移動部は、前記読取部に対し、前記搬送面の前記搬送方向と交差する方向の両端を含む位置に、前記交差方向の力を加えることを特徴とする請求項１〜６のいずれかに記載の原稿処理装置。
【請求項８】
原稿載置部に複数枚載置された原稿から所定の原稿を分離し、前記アーム部へ搬送する分離ローラを備え、
前記アーム部は、前記分離ローラにより分離された前記原稿の厚みに応じて、前記搬送面から離間して移動し、
前記移動部は、前記アーム部の移動に伴って、前記読取部を、前記搬送面に対して前記原稿の厚さより離間するように、移動することを特徴とする請求項１〜７のいずれかに記載の原稿処理装置。
【発明の詳細な説明】
【技術分野】
【０００１】
本発明は、原稿に対する所定の処理を行うために、原稿を搬送する原稿搬送装置に関するものである。
【背景技術】
【０００２】
従来、紙類が搬送され、搬送経路上に設けられた原稿処理部により、紙類に対して読み取りまたは記録等を行う原稿処理装置がある。例えば、特許文献１には、光学読取装置が記載されている。特許文献１では、光学読取装置に備えられた読取部に対向して、押付けローラが設けられている。紙類の紙面は、押し付けローラによって、読取部のガラス面に押付けられながら保持搬送される。押付けローラは、接続されたスプリングにより上下動が可能な構成である。そのため、紙類の厚さに関わらず紙類を搬送することが可能である。また、搬送経路において、押付けローラと異なる一対のドライブローラとプレッシャローラとにより、紙類は搬送される。そして、紙類は読取部に送り込まれる。
【先行技術文献】
【特許文献】
【０００３】
【特許文献１】特開平１０−３５２０号公報
【発明の概要】
【発明が解決しようとする課題】
【０００４】
特許文献１に記載の光学読取装置においては、紙類が、読取部と押付けローラとが設けられた位置に搬送される。このとき、上下動可能な押付けローラにより、紙類と読取部との間隔が変えられる。しかしながら、読取部に送り込まれるまで、押付けローラは上下動されない。そのため、紙類が読取部に送り込まれるとき、紙類の先端が、読取部の端部と接触してしまい、紙葉類が斜行して搬送されてしまうことがある。斜行した紙類が、読取部に搬送されると、紙葉類の読取が正しく行われないという問題がある。
【０００５】
本発明は、上述した問題点を解決するためになされたものである。本発明は、搬送される原稿が、読取部と接触することにより、原稿の斜行が生じることを防ぐ原稿処理装置を提供することを目的とする。
【課題を解決するための手段】
【０００６】
この目的を達成するために、請求項１記載の原稿処理装置においては、原稿が搬送される搬送面と対向して配置され、前記原稿の画像を読み取る読取部と、前記原稿が搬送される搬送方向に前記原稿が搬送されることにより、前記原稿と接することで、所定の方向に移動するアーム部と、前記アーム部が前記所定の方向へ移動することに応じて、前記搬送面と交差する交差方向に、前記読取部を移動させる移動部と、前記アーム部の移動に伴って、前記移動部を前記交差方向に回動させる回動軸部と、を備えることを特徴とする。
【０００７】
また、請求項２記載の原稿処理装置においては、原稿を搬送する搬送ローラをさらに備え、前記アーム部と前記搬送ローラとが近接した位置に配置されることを特徴とする。
【０００８】
また、請求項３記載の原稿処理装置においては、前記回動軸部は、前記アーム部と前記移動部とを連結し、前記移動部は、前記アーム部が前記搬送方向へ移動することに伴って前記回動軸部を介して、前記交差方向に回動し、前記読取部を移動させることを特徴とする。
【０００９】
また、請求項４記載の原稿処理装置においては、前記回動軸部と、前記アーム部と、前記移動部とが、前記原稿の搬送方向へ向かって順に配置され、前記原稿が接することにより、前記アーム部が移動され、前記回動軸部が回動し、前記移動部が、前記読取部を前記搬送面に対して離間する方向に移動することを特徴とする。
【００１０】
また、請求項５記載の原稿処理装置においては、前記読取部は、前記搬送面と対向して、前記交差方向の少なくともいずれかの方向に配置され、前記回動軸部は、前記読取部が配置される方向と同じ方向に配置されることを特徴とする。
【００１１】
また、請求項６記載の原稿処理装置においては、前記移動部の、前記読取部と接する位置と前記回動軸部との第１長さは、前記アーム部の、前記搬送される原稿と接する位置と前記回動軸部との第２長さより、長いことを特徴とする。
【００１２】
また、請求項７記載の原稿処理装置においては、前記移動部は、前記読取部に対し、前記搬送面の前記搬送方向と交差する方向の両端を含む位置に、前記交差方向の力を加えることを特徴とする。
【００１３】
また、請求項８記載の原稿処理装置においては、原稿載置部に複数枚載置された原稿から所定の原稿を分離し、前記アーム部へ搬送する分離ローラを備え、前記アーム部は、前記分離ローラにより分離された前記原稿の厚みに応じて、前記搬送面から離間して移動し、前記移動部は、前記アーム部の移動に伴って、前記読取部を、前記搬送面に対して前記原稿の厚さより離間するように、移動することを特徴とする。
【発明の効果】
【００１４】
請求項１記載の原稿処理装置においては、原稿が搬送され、アーム部に接することによるアーム部の移動に伴って、移動部が、原稿の搬送面と交差する交差方向に、読取部を移動させる。これにより、読取部は、搬送面と交差する方向に移動される。そのため、原稿は、読取部と接することなく搬送され、搬送された原稿が、読取部に近接して読み取られる。この結果、搬送される原稿がイメージセンサの端部と接触して原稿が斜行することを防ぐことができる。
【００１５】
また、請求項２記載の原稿処理装置においては、搬送ローラが、アーム部と近接した位置に配置される。これにより、搬送ローラは、搬送されてアーム部に接する原稿を押圧して、原稿がアーム部に接した際に回転するのを防ぐことができるため、読取部へ搬送するまでにおいて、斜行しないように正しい方向へ搬送させることができる。
【００１６】
また、請求項３記載の原稿処理装置においては、原稿が接することによるアーム部の移動に応じて、回動軸部が回動し、移動部が回動する。アーム部が移動するとき、アーム部に連結された回動軸部が支点となって回動する。回動軸部に連結された移動部は、回動軸部の回動によって、交差方向に回動する。これにより、移動するアーム部に加えられる力が、回動軸部により、移動部が読取部を搬送面の交差方向に移動する力となる。この結果、読取部は、搬送面の交差方向に移動され、搬送される原稿と接することなく、搬送される原稿の斜行を防ぐことができる。
【００１７】
また、請求項４記載の原稿処理装置においては、原稿の搬送方向に沿って、回動軸部、アーム部、移動部が順に配置され、原稿が接することで移動するアーム部の移動により、回動軸部と、移動部が回動する。搬送される原稿が接することで搬送方向に移動するアーム部は、回動軸部より搬送される方向へ設けられるため、アーム部に加えられる力が、回動軸部が支点となって、読取部を搬送面に対して離間する方向に移動させる力に反映される。これにより、アーム部に加えられる力は、効率よく移動部に伝えられ、読取部が、搬送面に対して離間する方向に移動する。この結果、読取部が搬送される原稿と接することがなく、原稿が斜行することを防ぐことができる。
【００１８】
また、請求項５記載の原稿処理装置においては、アーム部の移動に伴って回動軸部が回動すると、回動軸部の回動が移動部に伝えられ、移動部が交差方向に移動する。アーム部の移動に伴って回動される回動軸部と、読取部とが、搬送面に対して対向して配置されることがない。これにより、回動軸部と同じ方向に配置された読取部は、回動軸部の回動に伴って、搬送面に対して離間する方向に移動される。この結果、読取部が搬送される原稿と接することなく、搬送される原稿の斜行を防ぐことができる。
【００１９】
また、請求項６記載の原稿処理装置においては、移動部の第１長さが、アーム部の第２長さより長い。搬送される原稿がアーム部に接するとき、アーム部には、原稿を搬送するために必要な力が加えられる。アーム部には、接する原稿から加えられる力で、回動軸部を原点とするモーメントがはたらく。また、アーム部の移動に伴って回動される移動部においては、読取部を搬送面に対して離間させる力で、回動軸部を原点とするモーメントがはたらく。また、原稿が搬送される力が大きい場合であっても、移動部は、アーム部に加えられる原稿が搬送される力より小さい力で、読取部を搬送面に対して離間させる方向に移動させることができる。これにより、アーム部において原稿から加えられる力に伴って、移動部にはたらくモーメントの力によって、読取部が搬送面に対して離間される。この結果、読取部が搬送される原稿と接することがなく、原稿が斜行することを防ぐことができる。また、小さい力で読取部を離間させることができ、アーム部によって原稿に大きい力が加わることがないため、原稿を痛めない。
【００２０】
また、請求項７記載の原稿処理装置においては、移動部が、読取部に対し、搬送面の搬送方向と交差する方向の両端に、交差方向の力を加え、読取部を交差方向に移動させる。移動部は、交差方向の力を読取部の両端に加え、読取部の両端を移動する。これにより、読取部は、原稿の搬送面、及び原稿の搬送方向に対して平行に離間させることができる。この結果、読取部が搬送される原稿と接することがなく、原稿が斜行することを防ぐことができる。
【００２１】
また、請求項８記載の原稿処理装置においては、分離ローラにより分離された所定の原稿がアーム部に接すると、アーム部は、所定の原稿の厚みに応じて移動する。よって、移動部は、アーム部の原稿の厚みに応じた移動に伴って、読取部を交差方向に移動させることができる。これにより、原稿が厚い場合であっても、読取部が搬送される所定の原稿と接することなく、原稿が斜行することを防ぐことができる。
【図面の簡単な説明】
【００２２】
【図１】本実施形態１のスキャナ装置１の外観を示す概略斜視図である。
【図２】前記スキャナ装置１におけるＡ−Ａ断面の概略断面図である。
【図３】前記スキャナ装置１の上処理部３１の斜視図である。
【図４】前記上処理部３１の平面図である。
【図５】前記上処理部３１の平面図である。
【図６】搬送される原稿１００Ａと、前記上処理部３１との配置を示す概略断面図である。
【図７】本実施形態２のスキャナ装置２００における上搬送部１３１の斜視図である。
【発明を実施するための形態】
【００２３】
以下、本発明の実施の形態について図面を参照して説明する。
【００２４】
本発明に関わる原稿処理装置は、原稿を搬送し、搬送される原稿に記録された画像を光学的に読み取る画像読取機能を備える装置である。例えば、スキャナ装置や、コピー機、ファクシミリ装置等が該当する。本実施形態１においては、原稿処理装置の一例として、スキャナ装置１を説明する。尚、本実施形態１では、図１及び図２に示すように、搬送される原稿に従って、左右方向、上下方向、前後方向を定めて以下を説明する。原稿が搬送される方向を前方向、原稿が搬送される方向と逆の方向を後方向とする。また、原稿が搬送される前方向に対して、右側を右方向とする。また、原稿が搬送される前方向に対して、左側を左方向とする。前方向に搬送される原稿の面に対して上向きに垂直する方向を上方向する。前方向に搬送される原稿の面に対して下向きに垂直する方向を下方向する。
【００２５】
（スキャナ装置１の概要説明）
図１は、スキャナ装置１の概略を示す外観斜視図である。図２は、図１のスキャナ装置１におけるＡ−Ａ断面の概略断面図である。スキャナ装置１は、給紙トレイ１０、本体部２０、排紙トレイ５０を有する。スキャナ装置１には、給紙トレイ１０の前方向に、本体部２０が配置される。さらに、本体部２０の前方向であって、本体部２０に対して給紙トレイ１０と対向する位置には、排紙トレイ５０が設けられる。給紙トレイ１０から給紙され、本体部２０内を搬送された原稿１００は、排紙トレイ５０に排紙される。即ち、スキャナ装置１において、給紙トレイ１０に載置される原稿１００は、本体部２０より後方向の給紙トレイ１０から、排紙トレイ５０の前方向へ搬送される。本実施形態１において、原稿１００が、本体部２０を通過し、排紙トレイ５０に排紙される空間を、原稿１００の搬送経路と定義して以下を説明する。
【００２６】
（給紙トレイ１０の説明）
給紙トレイ１０は、本体部２０の後方に配置されている。給紙トレイ１０には、読取対象の複数枚の原稿１００が載置される。給紙トレイ１０において、原稿１００は、複数枚が重なり合った状態で載置されていてもよい。原稿１００は、普通紙の他、厚紙やカード等のような、普通紙と比べて厚みを有する紙類や樹脂製の板を使用することが可能である。給紙トレイ１０に載置された原稿１００は、後述する原稿分離機構２１により分離され、本体部２０に搬送される。
【００２７】
給紙トレイ１０の左右方向の両端には、原稿１００を搬送方向へ正しく搬送させるガイド部１１が設けられる。給紙トレイ１０に載置された原稿１００は、ガイド部１１によって、搬送方向に対して斜行しないように本体部２０へ搬送される。また、原稿１００は、本体部２０に搬送されると、後述するようにアーム部３４に接する。原稿１００の先端がアーム部３４と接するとき、後端はガイド部１１と隣接している。これにより、原稿１００は、アーム部３４と接しても、斜行することなく、排紙トレイ５へ向けて前方向に搬送される。
【００２８】
（本体部２０の説明）
本体部２０は、筐体２によって覆われている。本体部２０は、図２に示すように、スキャナ装置１の筐体２内に備えられる。本体部２０には、給紙トレイ１０と隣接する位置に、原稿分離機構２１が設けられる。原稿分離機構２１は、複数枚が重なった状態で給紙トレイ１０に載置されている原稿１００から、給紙トレイ１０の最底面に載置されている１枚の原稿１００Ａを分離し、前方向へ搬送する。
【００２９】
具体的には、原稿分離機構２１は、上下方向に対向して配置される一対の分離ローラ２２及び付勢ローラ２３と、分離回転軸２４、２５とを有する。分離ローラ２２の中心には、分離回転軸２４が挿入され、付勢ローラ２３の中心には、付勢回転軸２５が挿入される。分離回転軸２４及び２５は、それぞれ対向して筐体２に取り付けられる。分離ローラ２２は、図２に示すように、反時計周りに回転される。付勢ローラ２３は、分離ローラ２２の回転に伴って時計回りに回転可能である。
【００３０】
分離ローラ２２は、給紙トレイ１０の原稿１００が配置される側の面に一部を突出して配置される。分離回転軸２４は、駆動源となる図示外のモータに連結されており、モータの駆動に従って、分離ローラ２２を図２に示すように反時計回りに回転させる。分離ローラ２２の回転に伴い、対向して配置される付勢ローラ２３が協働して回転する。分離ローラ２２の外周面は、原稿１００Ａに対して摩擦係数が大きいシリコンゴム等の材質で形成される。分離ローラ２２と対向する位置には、付勢ローラ２３が、分離ローラ２２の外周面と接触して設けられる。付勢ローラ２３の外周面は、分離ローラ２２と異なる摩擦係数で、原稿１００Ａに対して摩擦係数の大きいゴム等の弾性部材により形成される。
【００３１】
分離ローラ２２が回転されることにより、給紙トレイ１０に載置される原稿１００のうち、分離ローラ２２と接触する前記給紙トレイ１０の最も底面に配置された原稿１００Ａが前方向へ搬送される。しかしながら、分離ローラ２２の材質や回転する力によっては、原稿１００Ａが搬送されるとき、原稿１００Ａに付随して他の原稿１００も前方向へ搬送されてしまう。そこで、分離ローラ２２及び付勢ローラ２３を上述の構成とすることにより、１枚の原稿１００Ａのみを、搬送する必要のない原稿１００Ａ以外の他の原稿１００と分離して、前方向に搬送することが可能である。また、付勢ローラ２３と分離回転軸２４との間には、バネが設けられる。付勢ローラ２３は、原稿１００Ａが接することにより、バネがたわみ、分離回転軸２４との間隔が、上下方向に僅かに変化する。付勢ローラ２３と分離回転軸２４とは、原稿１００Ａの厚みに応じて、バネがたわむことで、付勢ローラ２３の外周面と分離ローラ２２の外周面との間隔を変化させることができる。
【００３２】
筐体２内の本体部２０においては、原稿分離機構２１より前方向に、処理部３０が設けられる。処理部３０は、分離ローラ２２及び付勢ローラ２３よって分離され、搬送される原稿１００Ａに記録された画像を読み取る。処理部により画像が読み取られた原稿１００Ａが、排紙トレイ５０側へ搬送される。処理部３０は、原稿１００Ａが搬送される搬送経路の上方向に配置される上処理部３１と、搬送経路の下方向に配置される下処理部４１とを備える。尚、本実施形態１における原稿１００Ａが搬送される搬送経路の上方向が、本発明における搬送面と交差する交差方向を示す。
【００３３】
（上処理部３１の説明）
図３は、上処理部３１の外観を示す斜視図である。図４は、上処理部３１を上方向から見た平面図である。上処理部３１は、給紙補助ローラ３２、給紙補助回転軸３３、アーム部３４、回動軸部３５、移動部３６、上読取センサ３７、上センサカバー３８、排紙補助ローラ３９、排紙補助回転軸４０を備える。上処理部３１において、給紙トレイ１０側には、２つの給紙補助ローラ３２が、左右方向に並んで配置される。２つ給紙補助ローラ３２の中心には、共通する１つの給紙補助回転軸３３が挿入される。排紙トレイ５０側には、２つの排紙補助ローラ３９が設けられる。２つの排紙補助ローラ３９の中心には、排紙補助回転軸４０が挿入される。給紙補助回転軸３３と排紙補助回転軸４０とが筐体２に取り付けられる。この構成により、給紙補助ローラ３２と排紙補助ローラ３９とは、回転可能な構成である。
【００３４】
前後方向において、給紙補助ローラ３２と排紙補助ローラ３９とに挟まれる領域には、上読取センサ３７が設けられる。上読取センサ３７は、例えば、ＣＩＳ（Contact  Image  Sensor：密着センサ方式）である。上読取センサ３７の右側面及び左側面には、突起部３７Ａが設けられる。上読取センサ３７の周辺には、上読取センサ３７の読取面と、右側面及び左側面とを除く面を覆うように、上センサカバー３８が設けられる。上センサカバー３８は、上読取センサ３７の前側面と後側面に近接して設けられ、上側面に対してわずかな空間を挟んで設けられる。
【００３５】
左右方向において、２つの給紙補助ローラ３２間には、アーム部３４が設けられる。アーム部３４は、一端が後述する回動軸部３５と接合され、他端に湾曲部３４Ａを備えるＪ字形状の部材である。アーム部３４は、湾曲部３４Ａの外周面が、原稿１００Ａの搬送経路とわずかに離れた位置になるように設けられる。そして、搬送される原稿１００Ａが、所定の厚さ以上であるとき、湾曲部３４Ａの外周面と接触する。本実施形態１における所定の厚さとは、上下方向における、搬送経路と湾曲部３４Ａの外周面との距離である。給紙補助ローラ３２は、その外周円の中心が、アーム部３４の湾曲部３４Ａの外周円の中心と、一致するように設けられる。また、アーム部３４の湾曲部３４Ａは、その外周円が、給紙補助ローラ３２の外周円の中心より小さい構成である。これにより、搬送される原稿１００Ａは、所定の厚さ以上であるときのみ、アーム部３４の湾曲部３４Ａと接触する。尚、本実施形態１における原稿１００Ａは、搬送経路と湾曲部３４Ａの外周面との距離以上の厚さを有するものである。
【００３６】
回動軸部３５は、左右方向に延びる円柱形状であり、左右方向の両端が、筐体２に取り付けられる。筐体２の内側には、左右方向に２箇所の円状の窪みが設けられる。回動軸部３５の左右方向の両端は、筐体２の窪みにわずかな隙間を空けて嵌め合いされる。これにより、回動軸部３５は、筐体２に嵌め合いされ、回動可能に支持されている。回動軸部３５には、左右方向の中心を含む位置に、アーム部３４が接合される。後述するように、アーム部３４の湾曲部３４Ａに原稿１００Ａが接すると、アーム部３４は、搬送方向の力が加えられ、原稿１００Ａの厚さに応じて、前方向に回動する。このとき、給紙補助ローラ３２もまた、原稿１００Ａと接している。筐体２に嵌め合い支持され、アーム部３４が接合されている回動軸部３５は、アーム部３４の回動に伴い回転する。また、回動軸部３５の左右方向の両端には、それぞれ平棒状の移動部３６が延出して設けられる。
【００３７】
回動軸部３５と連結して設けられる移動部３６は、回動軸部３５の外周面に接合されたアーム部３４に対して反時計回りに約６０度ずらして設けられる。移動部３６は、一端が回動軸部３５と接合され、他端に鉤部３６Ａを備えた鉤型形状である。移動部３６の鉤部３６Ａは、移動部３６が延びる方向に対して曲折しており、上読取センサ３７の突起部３７Ａの下方に位置するように設けられる。移動部３６の鉤部３６Ａは、原稿１００Ａが搬送されないとき、上読取センサ３７の下方において、突起部３７Ａと離れて配置される。そして、移動部３６の鉤部３６Ａは後述するように原稿１００Ａが搬送されると、移動部３６が回動することで突起部３７Ａと接触する。尚、移動部３６における一端と鉤部３６Ａとの長さ３６Ｒは、アーム部３４の一端と湾曲部３４Ａとの長さ３４Ｒより長い。
【００３８】
（下処理部４１の説明）
また、図２に示すように、搬送経路を挟んで上処理部３１に対向する領域には、下処理部４１が設けられる。下処理部４１は、給紙ローラ４２、給紙回転軸４３、下読取センサ４４、下センサカバー４５、排紙ローラ４６、排紙回転軸４７を備える。給紙トレイ１０側には、左右方向に並ぶ２つの給紙ローラ４２が、その中心に共通する１つの給紙回転軸４３が挿入されて、設けられる。排紙トレイ５０側には、中心に排紙回転軸４７が挿入された２つの排紙ローラ４６が設けられる。給紙ローラ４２は、給紙補助ローラ３２の下方に、給紙補助ローラ３２と対向して設けられる。排紙ローラ４６は、排紙補助ローラ３９の下方に、排紙補助ローラ３９と対向して設けられる。給紙ローラ４２と排紙ローラ４６とは、給紙回転軸４３と排紙回転軸４７とが筐体２に取り付けられることで、回転可能な構成である。
【００３９】
給紙回転軸４３及び排紙回転軸４７は、駆動源となる図示外のモータに連結されており、モータの駆動に従って、給紙ローラ４２及び排紙ローラ４６を、図２に示すように反時計回りに回転させる。給紙ローラ４２及び排紙ローラ４６が回転されると、対向して配置される給紙補助ローラ３２及び排紙補助ローラ３９が協働して回転し、原稿１００Ａが給紙トレイ１０側から排紙トレイ５０側へ搬送される。尚、本実施形態１において、給紙ローラ４２の駆動に協働して回転する給紙補助ローラ３２が、本発明の搬送ローラの一例である。
【００４０】
下読取センサ４４は、給紙ローラ４２と排紙ローラ４６とに挟まれる領域において、上読取センサ３７の下方に設けられる。下読取センサ４４の周辺には、下読取センサ４４の読取面を除く面を覆うように下センサカバー４５が設けられる。尚、上読取センサ３７、下読取センサ４４は、原稿を読み取るとき、図示外の光源により原稿が照射され、原稿の反射した反射光を読み取ることで、原稿の画像を読み取る仕組みである。読取センサとしては、例えばＣＩＳ（Contact  Image  Sensor）を用いる。
【００４１】
＜原稿搬送とスキャナ位置の関係＞
次に、図５Ａ〜図５Ｃを用いて、処理部３０における原稿１００Ａの搬送と、原稿１００Ａの読み取りを行う上読取センサ３７、下読取センサ４４の配置について説明する。図５Ａ〜５Ｃは、図２に示すスキャナ装置１の鎖線領域２Ａで示す処理部３０の構成を示す図である。処理部３０においては、原稿分離機構２１によって分離されて搬送されてきた原稿１００Ａが、給紙トレイ１０側から排紙トレイ５０側へ向かう方向（以下、搬送方向とする）へ搬送される。
【００４２】
図５Ａに示すように、原稿分離機構２１により分離された原稿１００Ａは、処理部３０において、まず、互いに協動する給紙ローラ４２及び給紙補助ローラ３２により、上読取センサ３７、下読取センサ４４間へ搬送される。このとき、給紙ローラ４２は、モータの駆動により回転され、給紙ローラ４２に従動して、給紙補助ローラ３２が回転する。所定の厚さ以上の原稿１００Ａが、原稿分離機構２１から給紙ローラ４２に搬送されるとき、搬送方向の先端が、アーム部３４の湾曲部３４Ａの湾曲部位と接する。
【００４３】
湾曲部３４Ａは、搬送される原稿１００Ａから搬送方向に向かう力を受ける。湾曲部３４Ａが搬送方向の力を受けることで、アーム部３４は、一端が接合された回動軸部３５を支点として、湾曲部３４Ａが設けられた他端が反時計回りに回動する。アーム部３４の回動により、回動軸部３５は回転する。回動軸部３５の回動に伴って、回動軸部３５が一端に接合された移動部３６が回動する。回動軸部３５及び移動部３６は、アーム部３４の回動に伴って、アーム部３４が移動した角度と同じ角度を回動する。
【００４４】
図５Ｂにおいては、給紙ローラ４２と給紙補助ローラ３２により、原稿１００Ａが搬送され、移動部３６が回動した状態を示す。アーム部３４の移動に伴って移動部３６が回動すると、移動部３６の他端に設けられた鉤部３６Ａは、回動軸部３５を中心に弧を描くように回動する。鉤部３６Ａが回動軸部３５を中心に回動すると、鉤部３６Ａは上読取センサ３７の突起部３７Ａと接触する。このとき、上読取センサ３７の突起部３７Ａには、鉤部３６Ａから力が加えられる。鉤部３６Ａが加える力は、アーム部３４の湾曲部３４Ａに対して、原稿１００Ａから搬送方向の力が加えられることにより発生したモーメント力である。このモーメントの力が、突起部３７Ａに加えられることにより、上読取センサ３７は上方向に移動される。鉤部３６Ａは、回動軸部３５の左右方向の両端に設けられていることより、上読取センサ３７は、左右方向の突起部３７Ａが上方向に保持されて、全体が移動される。このとき、鉤部３６Ａの回動に従って、突起部３７Ａが移動するが、上読取センサ３７の前側面と後側面は、近接する上センサカバー３８により覆われている。上読取センサ３７は、上センサカバー３８によって回動方向への移動が制限され、上方向に移動する。上読取センサ３７が移動すると、読取面である上読取センサ３７の下面と、読取面である下読取センサ４４の上面との間隔が広がる。
【００４５】
原稿１００Ａは、給紙ローラ４２及び給紙補助ローラ３２の回転により、上読取センサ３７と、下読取センサ４４とに向けて搬送される。上述したように、上読取センサ３７は、原稿１００Ａがアーム部３４に接することで、上方向に移動するため、上読取センサ３７と下読取センサ４４との間隔は広くなる。これにより、原稿１００Ａが上読取センサ３７と下読取センサ４４との間に搬送されるとき、その先端が、上読取センサ３７と接触しない。そのため、原稿１００Ａを、上読取センサ３７及び下読取センサ４４と接触して斜行してしまうことなく、上読取センサ３７及び下読取センサ４４の間を搬送することができる。
【００４６】
原稿１００Ａの先端が、上読取センサ３７と下読取センサ４４との間に搬送されると、回転する給紙ローラ４２及び給紙補助ローラ３２により、原稿１００Ａの中間部が搬送方向に搬送される。続いて、給紙ローラ４２及び給紙補助ローラ３２は、原稿１００Ａの後端を搬送する。原稿１００Ａの後端が、給紙ローラ４２及び給紙補助ローラ３２に搬送されるとき、原稿１００Ａの中間は、上読取センサ３７と下読取センサ４４との間に位置する。
【００４７】
また、図５Ｃに示すように、原稿１００Ａの後端が、給紙ローラ４２及び給紙補助ローラ３２に搬送された後は、アーム部３４に原稿１００Ａは接しない。よって、アーム部３４は回動せず、鉤部３６Ａは、原稿１００Ａが搬送されないときと同様に、上読取センサ３７の突起部３７Ａと離れて位置する。原稿１００Ａは、給紙ローラ４２及び給紙補助ローラ３２の間と、上読取センサ３７及び下読取センサ４４の間を搬送された後、協動して回転する排紙ローラ４６及び排紙補助ローラ３９により、排紙トレイ５０側へ送り出される。
【００４８】
原稿１００Ａは、給紙ローラ４２及び給紙補助ローラ３２により搬送され、排紙ローラ４６及び排紙補助ローラ３９により搬送されるまでの間に、上下読取センサ３７、４４の間に位置する領域に記録されている文字または画像が、読み取られる。上読取センサ３７は、原稿１００Ａの上面側を読み取り、下読取センサ４４は、原稿１００Ａの下面側を読み取り、読み取った文字または画像の情報が図示外のメモリ等に記憶される。
【００４９】
（上読取センサ３７の移動）
続いて、図６を用いて、処理部３０に原稿１００Ａが搬送されることによって、上処理部３１の上読取センサ３７が移動する仕組みを詳細に説明する。図６は、図２に示すスキャナ装置１の鎖線領域２Ａに示す上処理部３１のうち、アーム部３４、回動軸部３５、移動部３６、上読取センサ３７、上センサカバー３８の各構成の配置の概略を示す図である。図６において、原稿１００Ａは、搬送方向である後方向から前方向に搬送される。スキャナ装置１においては、回動軸部３５、アーム部３４、移動部３６が、搬送方向に沿って順に設けられ、アーム部３４の湾曲部３４Ａが、回動軸部３５より、前方側に設けられる。
【００５０】
原稿１００Ａが処理部３０に搬送されると、原稿１００Ａの先端が、アーム部３４の湾曲部３４Ａに接する。このとき、湾曲部３４Ａにおける接する位置は、搬送される原稿１００Ａの厚さによって異なり、原稿１００Ａが厚いほど、湾曲部３４Ａの後方向と接する。原稿１００Ａは、湾曲部３４Ａに接したあと、原稿分離機構２１及び給紙ローラ４２と給紙補助ローラ３２とにより、搬送方向に搬送される。
【００５１】
例えば、原稿１００Ａが給紙ローラ４２に搬送されるとき、湾曲部３４Ａに力Ｆ１が加えられたとする。湾曲部３４Ａには、原稿１００Ａから搬送方向の力Ｆ１が加えられる。原稿１００Ａの搬送方向の力Ｆ１は、分離ローラ２２と付勢ローラ２３とによる回転駆動力と、給紙ローラ４２と給紙補助ローラ３２とにより回転駆動力とより発生される。スキャナ装置１においては、分離回転軸２４に連結されたモータの回転駆動力と、給紙回転軸４３に連結されたモータの回転駆動力とは一定である。よって、原稿１００Ａの搬送方向の力Ｆ１は、原稿１００Ａの厚さに関わらず略一定になるように構成されている。
【００５２】
また、原稿１００Ａの厚さが厚いほど、原稿１００Ａの先端の上面側は、湾曲部３４Ａの上方向と接する。原稿１００Ａが搬送され、アーム部３４の湾曲部３４に接すると、アーム部３４は、原稿１００Ａが接した位置が、原稿１００Ａの搬送経路に対して最も距離が近くなるように回動する。即ち、アーム部３４は、回動軸部３５を支点として、原稿１００Ａの厚さに応じた角度を回動する。アーム部３４は、搬送されて湾曲部３４Ａに接する原稿１００Ａの厚さが厚いほど、大きく回動する。湾曲部３４Ａに原稿１００Ａが接すると、アーム部３４には、搬送方向の力Ｆ１が加えられる。このときアーム部３４は、図６において破線矢印Ｓ１に示す方向に、原稿１００Ａの厚さに応じた角度で、一端が接合された回動軸部３５を中心とする円弧状に回動する。湾曲部３４Ａに力Ｆ１が加えられると、アーム部３４には、長さ３４Ｒ×力Ｆ１で求められる回動軸部３５まわりのモーメントがはたらく。
【００５３】
原稿１００Ａから搬送方向の力が、アーム部３４に加えられると、アーム部３４の一端が接続された回動軸部３５は、左右方向が筐体２に取り付けられていることにより、図６において破線矢印Ｓ２に示す方向である反時計回りに回転する。回動軸部３５が回転すると、回動軸部３５に一端が取り付けられた移動部３６が、回動軸部３５の回転に伴って回動される。
【００５４】
回動軸部３５が回転されると、移動部３６の他端の鉤部３６Ａは、図６において破線矢印Ｓ３に示す方向に回動する。移動部３６の鉤部３６Ａは、アーム部３４の湾曲部３４Ａが回動する距離と同一の距離を、回動する。原稿１００Ａの厚さが厚いほど、原稿１００Ａが接するアーム部３４の湾曲部３４Ａは、大きい角度を回動する。また、鉤部３６Ａは、湾曲部３４Ａの角度と同じ角度を回動する鉤部３６Ａは、アーム部３４に伴って回動することにより、上読取センサ３７の突起部３７Ａと接触し、上読取センサ３７を移動させる。これにより、上読取センサ３７が移動されている場合において、搬送される原稿１００Ａを圧接することが無い。そのため、アーム部３４の湾曲部３４Ａに原稿１００Ａが接しているときは、上読取センサ３７の表面が、原稿１００Ａによって汚されることがない。即ち、搬送される原稿１００Ａにおいて、後端から、アーム部３４の湾曲部３４Ａと上読取センサ３７との距離に対応する領域には、文字または画像が記録されていなければ、上読取センサ３７の表面が汚れることを防ぐことができる。
【００５５】
本実施形態では、アーム部３４と、回動軸部３５と、移動部３６とは一体に形成されている。よって、湾曲部３４Ａに加えられた力Ｆ１は保存され、移動部３６が上読取センサ３７を移動させる力Ｆ２に反映される。移動部３６の鉤部３６Ａには、アーム部３４のモーメントに基づいて、長さ３６Ｒの移動部３６にはたらく力Ｆ２が与えられる。力Ｆ１が、分離ローラ２２と付勢ローラ２３とによる回転駆動力と、給紙ローラ４２と給紙補助ローラ３２とにより回転駆動力とに基づく力である。そして力Ｆ１により、鉤部３６Ａに発は、上読取センサ３７の全体を移動させるための十分な力である力Ｆ２が発生する。上読取センサは、移動部３６の鉤部３６Ａに与えられる力Ｆ２によって、上方向へ移動される。
【００５６】
尚、アーム部３４が、回動軸部３５より給紙トレイ１０側に配置されてしまうと、湾曲部３４Ａに原稿１００Ａが接するとき、アーム部３４に下方向に向かう力が存在する。このため、原稿１００Ａから加えられる力が効率よく移動部３６の上方向に向かう力に反映されない。従って、原稿１００Ａから加えられる力を効率よく移動部３６へ反映させるため、本実施形態１においては、搬送方向へ順に、回動軸部３５、アーム部３４が配置されている。また、本実施形態１では、移動部３６の長さ３６Ｒが、アーム部３４の長さ３４Ｒより長い構成である。そして、本実施形態１のような、回動軸部３５がアーム部３４より後方向に配置される。本実施形態１では、アーム部３４の湾曲部３４Ａより、上読取センサ３７が前方向に配置される。このように、アーム部３４の湾曲部３４Ａと上読取センサ３７との距離が、回動軸部３５と上読取センサ３７との距離より長い場合であっても十分な長さを有する移動部３６で、上読取センサ３７を移動させることができる。
【００５７】
また、本実施形態１において、原稿１００Ａは、給紙ローラ４２と給紙補助ローラ３２に搬送されている状態で、アーム部３４の湾曲部３４Ａと接する。すなわち、原稿１００Ａは、アーム部３４の湾曲部３４Ａに搬送方向の力を加えるとき、給紙ローラ４２と給紙補助ローラ３２により押さえられた状態である。この構成により、原稿１００Ａは、アーム部３４の湾曲部３４Ａに接するとき、斜行することがない。
【００５８】
（実施形態２）
本実施形態１のスキャナ装置１においては、アーム部３４及び移動部３６が、回動軸部３５に接合されて一体して形成される構造であるが、これに限らない。例えば図７に示す上搬送部の構成ように、回動軸部は、アーム部の一端が接続され、アーム部の他端に移動部の一端が接続され、アーム部と移動部とが一体に形成される構成であっても良い。以下に、本実施形態２におけるスキャナ装置２００の上搬送部２３１の詳細を説明する。
【００５９】
図７は、スキャナ装置２００の上搬送部２３１の外観斜視図である。本実施形態２における上搬送部２３１は、回動軸部３５と、アーム部２３４と、移動部２３６とが一体に形成された構成である。また、上搬送部２３１には、複数の給紙補助ローラ２３が、左右方向に所定間隔ごとに設けられる。給紙補助ローラ２３の下方には、給紙補助ローラ２３それぞれに対向するように給紙ローラ４３が設けられる。アーム部２３４は、左右方向において、４つの給紙補助ローラ２３のそれぞれと隣接する位置に形成される。また、上搬送部２３１には、回動軸部３５及びアーム部２３４の前方向に、実施形態１と同様の構成である上読取センサ３７が設けられる。
【００６０】
回動軸部３５は、左右方向に延びる円柱形状であり、その左右方向の両端が、筐体２に回動可能に取り付けられる。筐体２の内側には、左右方向に２箇所の円状の窪みが設けられる。回動軸部３５の左右方向の両端は、筐体２の窪みにわずかな隙間を空けて嵌め合いされる。これにより、回動軸部３５は、筐体２に嵌め合いされ、回動可能に支持されている。回動軸部３５には、左右方向にわたって、板状のアーム部２３４の一端が接合される。アーム部２３４は、他端に、搬送される原稿１００Ａが接する湾曲部２３４Ａを備える。さらに、アーム部２３４の湾曲部２３４Ａの先端には、平棒状の移動部２３６が設けられる。移動部２３６は、湾曲部３４Ａの左右方向の両端において、上読取センサ３７の突起部３７Ａの下方まで延出した構成である。移動部２３６の前方向の先端には、突起部３７Ａの下方の位置に、鉤部２３６Ａが設けられる。
【００６１】
上搬送部２３１においては、湾曲部２３４Ａに原稿１００Ａが接すると、搬送方向に力が加えられ、筐体２に支持された回動軸部３５を支点として、アーム部２３４が回動する。アーム部２３４が回動されることにより、アーム部２３４の他端に接合された移動部２３６の鉤部２３６Ａもまた回動する。鉤部２３６Ａは、回動することにより、上読取センサ３７の突起部３７Ａと接触する。湾曲部２３４Ａに接する原稿１００Ａによりアーム部２３４が回動されると、鉤部２３６Ａにより上読取センサ３７が上方向に移動される。なお、原稿１００Ａは、実施形態１の場合と同様に、アーム部２３４の湾曲部２３４Ａにおける接する位置が異なる。アーム部２３４は、搬送される原稿１００Ａの厚さに応じて、異なる角度を回動する。移動部２３６は、アーム部２３４の湾曲部２３４Ａの移動に伴って、回動軸部３５を支点として回動し、上読取センサ３７を移動する。これにより、上読取センサ３７と下読取センサ４４との間隔が広がり、原稿１００Ａが、上読取センサ３７に接触することがないため、斜行せずに給紙トレイ１０側から排出トレイ５０側へ搬送される。そして、読取部が搬送される原稿を圧接することが無いため、原稿によって上読取センサ３７の読取面が汚されるのを防ぐことができる。
【００６２】
本実施形態２においては、アーム部２３４が、複数の給紙補助ローラ３２に挟まれて左右方向にわたって形成されている点で、左右方向の中央に１つのアーム部が設けられる構成の実施形態１とは異なる。本実施形態２においては、原稿１００Ａが上搬送部２３１に搬送されると、原稿１００Ａは、給紙補助ローラ３２と給紙ローラ４２により搬送されている状態で、アーム部２３４と接する。原稿１００Ａは、接するアーム部２３４の左右方向の何れの位置においても、等しい力で給紙補助ローラ３２により押さえられる。これにより、アーム部２３４の湾曲部２３４Ａと接触するとき、原稿１００Ａが斜行することがない。
【００６３】
（変形例）
本実施形態１において、上処理部３１のアーム部３４と回動軸部３５と移動部３６は、一体に形成された構成であるが、一体に形成されず、アーム部３４に連動して、回動軸部と、移動部とが移動する構成であればよい。例えば、原稿が接することでアーム部が前方向に移動し、アーム部の移動方向の力が、アーム部とは別体で形成された回動軸部または移動部の少なくともいずれかに伝えられる構成であってもよい。アーム部の力は、移動部に伝えられ、移動部が、隣接して設けられる上読取スキャナを移動する。
【００６４】
また、本実施形態１においては、全て搬送経路より下方向に設けられた分離回転軸２４、給紙回転軸４３、排紙回転軸４７のそれぞれにモータが接続され、分離ローラ２２、給紙ローラ４２、排紙ローラ４６が回転駆動される構成である。実施形態１の構成に限らず、モータは、搬送経路より上方向の付勢回転軸２５、給紙補助回転軸３３、排紙補助回転軸４０に接続される構成であってもよい。また、原稿分離機構２１と、処理部３０の給紙及び排紙の各機構において、接続されるモータは、上方向または下方向の少なくともいずれかであればよく、方向が統一されている必要はない。
【００６５】
また、本実施形態１においては、本発明における近接した位置に配置されるアーム部と搬送ローラとの構成の一例を、２つの給紙補助ローラ３２の間にアーム部３４を設けて近接させて配置した構成とした。しかしながら、近接の定義は、実施形態１に限らない。給紙補助ローラ３２は、給紙トレイ１０から一枚の原稿１００Ａが分離され、アーム部３４と接し、上読取センサ３７により読み取りされるまでの搬送経路において設けられていればよい。
【００６６】
また、上読取センサ３７は、本実施形態１のように、左右方向の両側面に設けられた突起部３７Ａが、移動部３６により上方向に移動される構成に限らず、全体が移動される構成であればよい。例えば、移動部が、上読取センサ３７の前後方向の両側を保持し、上方向に移動させる構成としてもよい。また、上読取センサ３７の読取面の一部に、移動させるための移動用領域を設け、移動部が、移動用領域に接して上読取センサ３７を上方向に突き上げ、移動させる態様であってもよい。
【００６７】
また、本実施形態１において、上読取センサ３７は、上センサカバー３８により前後方向への移動が制限され、上方向のみへ移動する構成であるが、上方向のみに移動する構成はこれに限らない。例えば、上センサカバー３８の構成の一部として、左右方向の両側に摺動案内レールを設け、上方向のみに移動させる構成としてもよい。
【００６８】
また、本実施形態１において、アーム部３４は、湾曲部３４Ａの外周面が、搬送経路に対してわずかに離れて設けられるが、搬送経路と湾曲部３４Ａの外周面が接するように設けられる構成であってもよい。このとき、原稿１００Ａが所定の厚さ以上でない場合にも、アーム部３４は移動する。
【００６９】
尚、本実施形態１において、移動部３６と、突起部を備える上読取センサ３７とは、搬送経路より上方向に設けられた構成であるが、搬送経路より下方向に設けられてもよい。搬送経路より下方向に、移動部が設けられ、下読取センサが移動部により移動される場合は、移動部が、下読取センサを下方向に移動することにより、上読取センサと下読取センサとの間隔を広げる構成としてもよい。また、本発明における読取部は、原稿の搬送経路より上方向または下方向の少なくともいずれかに設けられていればよい。例えば、実施形態１において設けられた上読取センサ及び下読取センサは、少なくともいずれかを備えていればよく、読取センサの読取面に対向する位置には、平板状の搬送面が設けられる構成であってもよい。
【００７０】
また、移動部３６は、回動軸部３５に接合されている部分に対して曲折した鉤部３６Ａにより、上読取センサ３７が移動される構成である。しかしながら、移動部３６は、上読取センサ３７が、原稿１００Ａの搬送面に対して離間する方向に移動される構成であれば、これに限らない。例えば、移動部が、上読取センサを保持するための爪部を備え、上読取センサ３７を、爪部により保持して、原稿１００Ａの搬送面に対して離間する方向に持ち上げる構成であってもよい。
【符号の説明】
【００７１】
１  スキャナ装置
２１  原稿分離機構
２２  分離ローラ
２３  付勢ローラ
３２  給紙補助ローラ
３４、２３４  アーム部
３４Ａ、２３４Ａ  湾曲部
３５  回動軸部
３６、２３６  移動部
３６Ａ、２３６Ａ  鉤部
３７  上読取センサ
３７Ａ  突起部
【図１】
2012080170.tif 000003
【図２】
2012080170.tif 000004
【図３】
2012080170.tif 000005
【図４】
2012080170.tif 000006
【図５】
2012080170.tif 000007
【図６】
2012080170.tif 000008
【図７】
2012080170.tif 000009